【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
画像を複数のブロックに分割し、各ブロックに対してＤＣＴを適用する圧縮方法により生成された圧縮画像を入力して処理する画像処理装置であって、
前記圧縮画像を復号する復号手段による復号過程で、前記ブロックにおけるＤＣＴ係数の分布から当該ブロックを分類するブロック分類手段と、
前記復号手段により復号された復号データと前記ブロック分類手段による分類結果から、
（１）直流成分のみからなるブロックについては前記ブロックの１画素の色分解データを生成して当該ブロックの全画素の色分解データとして出力し、
（２）直流成分及び水平方向の周波数成分からなるブロックについては前記ブロックの１行の画素の色分解データを生成し、当該生成された色分解データを前記ブロックの列方向に繰り返し出力し、
（３）前記直流成分及び垂直方向の周波数成分からなるブロックについては、前記ブロックの１列の画素の色分解データを生成し、当該生成された色分解データを前記ブロックの行方向に繰り返し出力することで、前記ブロック単位の色分解データを生成する色分解データ生成手段と、
を有することを特徴とする画像処理装置。
【請求項２】
前記色分解データ生成手段は、前記直流成分のみからなるブロックが連続している場合、直前のブロックの色分解データを採用することを特徴とする請求項１に記載の画像処理装置。
【請求項３】
前記色分解データを量子化して印刷データを生成する量子化手段を更に有することを特徴とする請求項１に記載の画像処理装置。
【請求項４】
前記圧縮画像はＪＰＥＧ画像であリ、前記ブロックはＭＣＵであることを特徴とする請求項１乃至３のいずれか１項に記載の画像処理装置。
【請求項５】
前記復号手段は、
ハフマン復号化部と、
逆量子化部と、
逆ＤＣＴ部とを有することを特徴とする請求項１に記載の画像処理装置。
【請求項６】
前記色分解データ生成手段は、
前記復号データを予め定められた色空間へ変換する色空間変換手段と、
前記色空間変換手段により生成される色空間変換データをデバイスの固有色に分解する色分解手段とを有することを特徴とする請求項１に記載の画像処理装置。
【請求項７】
前記色分解データ生成手段は、更に、前記色分解された色分解データを変倍する変倍手段を有することを特徴とする請求項１に記載の画像処理装置。
【請求項８】
画像を複数のブロックに分割し、各ブロックに対してＤＣＴを適用する圧縮方法により生成された圧縮画像を入力して処理する画像処理方法であって、
前記圧縮画像を復号する復号工程での復号過程で、前記ブロックにおけるＤＣＴ係数の分布から当該ブロックを分類するブロック分類工程と、
前記復号工程で復号された復号データと前記ブロック分類工程での分類結果から、
（１）直流成分のみからなるブロックについては前記ブロックの１画素の色分解データを生成して当該ブロックの全画素の色分解データとして出力し、
（２）直流成分及び水平方向の周波数成分からなるブロックについては前記ブロックの１行の画素の色分解データを生成し、当該生成された色分解データを前記ブロックの列方向に繰り返し出力し、
（３）前記直流成分及び垂直方向の周波数成分からなるブロックについては、前記ブロックの１列の画素の色分解データを生成し、当該生成された色分解データを前記ブロックの行方向に繰り返し出力することで、前記ブロック単位の色分解データを生成する色分解データ生成工程と、
を有することを特徴とする画像処理方法。
【請求項９】
コンピュータを、画像を複数のブロックに分割し、各ブロックに対してＤＣＴを適用する圧縮方法により生成された圧縮画像を入力して処理する画像処理装置として機能させるためのプログラムであって、該コンピュータを、
前記圧縮画像を復号する復号手段による復号過程で、前記ブロックにおけるＤＣＴ係数の分布から当該ブロックを分類するブロック分類手段と、
前記復号手段により復号された復号データと前記ブロック分類手段による分類結果から、
（１）直流成分のみからなるブロックについては前記ブロックの１画素の色分解データを生成して当該ブロックの全画素の色分解データとして出力し、
（２）直流成分及び水平方向の周波数成分からなるブロックについては前記ブロックの１行の画素の色分解データを生成し、当該生成された色分解データを前記ブロックの列方向に繰り返し出力し、
（３）前記直流成分及び垂直方向の周波数成分からなるブロックについては、前記ブロックの１列の画素の色分解データを生成し、当該生成された色分解データを前記ブロックの行方向に繰り返し出力することで、前記ブロック単位の色分解データを生成する色分解データ生成手段とを有する画像処理装置として機能させるためのプログラム。
【手続補正２】
【補正対象書類名】明細書
【補正対象項目名】００１３
【補正方法】変更
【補正の内容】
【００１３】
上記目的を達成するために本発明の一態様に係る画像処理装置は以下のような構成を備える。即ち、
画像を複数のブロックに分割し、各ブロックに対してＤＣＴを適用する圧縮方法により生成された圧縮画像を入力して処理する画像処理装置であって、
前記圧縮画像を復号する復号手段による復号過程で、前記ブロックにおけるＤＣＴ係数の分布から当該ブロックを分類するブロック分類手段と、
前記復号手段により復号された復号データと前記ブロック分類手段による分類結果から、
（１）直流成分のみからなるブロックについては前記ブロックの１画素の色分解データを生成して当該ブロックの全画素の色分解データとして出力し、
（２）直流成分及び水平方向の周波数成分からなるブロックについては前記ブロックの１行の画素の色分解データを生成し、当該生成された色分解データを前記ブロックの列方向に繰り返し出力し、
（３）前記直流成分及び垂直方向の周波数成分からなるブロックについては、前記ブロックの１列の画素の色分解データを生成し、当該生成された色分解データを前記ブロックの行方向に繰り返し出力することで、前記ブロック単位の色分解データを生成する色分解データ生成手段と、を有することを特徴とする。
【手続補正３】
【補正対象書類名】明細書
【補正対象項目名】００１４
【補正方法】変更
【補正の内容】
【００１４】
上記目的を達成するために本発明の一態様に係る画像処理方法は以下のような工程を備える。即ち、
画像を複数のブロックに分割し、各ブロックに対してＤＣＴを適用する圧縮方法により生成された圧縮画像を入力して処理する画像処理方法であって、
前記圧縮画像を復号する復号工程での復号過程で、前記ブロックにおけるＤＣＴ係数の分布から当該ブロックを分類するブロック分類工程と、
前記復号工程で復号された復号データと前記ブロック分類工程での分類結果から、
（１）直流成分のみからなるブロックについては前記ブロックの１画素の色分解データを生成して当該ブロックの全画素の色分解データとして出力し、
（２）直流成分及び水平方向の周波数成分からなるブロックについては前記ブロックの１行の画素の色分解データを生成し、当該生成された色分解データを前記ブロックの列方向に繰り返し出力し、
（３）前記直流成分及び垂直方向の周波数成分からなるブロックについては、前記ブロックの１列の画素の色分解データを生成し、当該生成された色分解データを前記ブロックの行方向に繰り返し出力することで、前記ブロック単位の色分解データを生成する色分解データ生成工程と、を有することを特徴とする。
【手続補正４】
【補正対象書類名】明細書
【補正対象項目名】００９６
【補正方法】変更
【補正の内容】
【００９６】
まずステップＳ６１，Ｓ６２（及びステップＳ６５，Ｓ６６）はそれぞれｘ方向、ｙ方向の画素数分のループ処理を示す。このＭＣＵの８×８画素からなる全ての画素数分、ステップＳ６３〜Ｓ６４の処理を繰り返すことを意味している。ステップＳ６３では、該当画素に対して前述の色空間変換、色分解処理を施して色分解データを生成する。そしてステップＳ６４で、その対象画素の色分解データとして、ステップＳ６３で求めた色分解データを出力する。